(57)【要約】      （修正有）【課題】メモリ容量を多く使用する状況においてシャッターチャンスを逃すことを回避できるようにする。【解決手段】通信機能メニュー画面４０２が表示されている間に、ユーザによりスマートフォンモードが選択された場合には、制御部は通信部を制御してスマートフォンなどの情報処理装置への接続動作を行う。一方、通信機能メニュー画面４０２が表示されている間に、ユーザによりプリンタモードが選択された場合には、現在の撮影モードを判定し、ＨＤＲ逆光補正モードなど、複数の画像を撮影して合成する撮影モードである場合は、プリンタ接続不可画面４０４を表示し、プリンタとの接続は行わないようにする。【選択図】図４
2015019332.tif 000002
【特許請求の範囲】
【請求項１】
撮像手段と、
前記撮像手段により生成された画像データを記憶する記憶手段と、
前記撮像手段により１枚の画像を撮影する通常の撮影モードと、前記記憶手段において前記通常の撮影モードよりも多くの記憶領域を用いる撮影モードとを少なくとも含む複数の撮影モードを制御する制御手段と、
前記記憶手段の記憶領域を用いてデータの通信を行う外部装置と接続する接続手段とを有し、
前記制御手段により前記通常の撮影モードよりも多くの記憶領域を用いる撮影モードに制御されている場合に、前記接続手段は前記外部装置と接続しないようにすることを特徴とする撮像装置。
【請求項２】
前記記憶手段は、前記通常の撮影モードよりも多くの記憶領域を用いる撮影モードの撮影で用いられる記憶領域と、前記外部装置とデータの通信を行うために用いられている記憶領域とが重複していることを特徴とする請求項１に記載の撮像装置。
【請求項３】
前記制御手段により前記通常の撮影モードよりも多くの記憶領域を用いる撮影モードに制御されている場合に、前記接続手段により前記外部装置と接続できない旨を表示部に表示する表示制御手段をさらに有することを特徴とする請求項１又は２に記載の撮像装置。
【請求項４】
前記通常の撮影モードよりも多くの記憶領域を用いる撮影モードは、前記撮像手段により複数の画像データを生成して合成する撮影モードであることを特徴とする請求項１〜３の何れか１項に記載の撮像装置。
【請求項５】
前記制御手段により前記通常の撮影モードに制御されている場合に、前記接続手段は前記外部装置と接続可能とすることを特徴とする請求項１〜４の何れか１項に記載の撮像装置。
【請求項６】
前記接続手段は、前記外部装置として前記記憶手段の記憶領域を用いて生成された印刷データの送信先である印刷装置と接続することを特徴とする請求項１〜５の何れか１項に記載の撮像装置。
【請求項７】
撮像手段と、前記撮像手段により生成された画像データを記憶する記憶手段とを有する撮像装置の制御方法であって、
前記撮像手段により１枚の画像を撮影する通常の撮影モードと、前記記憶手段において前記通常の撮影モードよりも多くの記憶領域を用いる撮影モードとを少なくとも含む複数の撮影モードを制御する制御工程と、
前記記憶手段の記憶領域を用いてデータの通信を行う外部装置と接続する接続工程とを有し、
前記制御工程において前記通常の撮影モードよりも多くの記憶領域を用いる撮影モードに制御されている場合に、前記接続工程においては前記外部装置と接続しないようにすることを特徴とする撮像装置の制御方法。
【請求項８】
撮像手段と、前記撮像手段により生成された画像データを記憶する記憶手段とを有する撮像装置を制御するためのプログラムであって、
前記撮像手段により１枚の画像を撮影する通常の撮影モードと、前記記憶手段において前記通常の撮影モードよりも多くの記憶領域を用いる撮影モードとを少なくとも含む複数の撮影モードを制御する制御工程と、
前記記憶手段の記憶領域を用いてデータの通信を行う外部装置と接続する接続工程とをコンピュータに実行させ、
前記制御工程において前記通常の撮影モードよりも多くの記憶領域を用いる撮影モードに制御されている場合に、前記接続工程においては前記外部装置と接続しないようにすることを特徴とするプログラム。
【発明の詳細な説明】
【技術分野】
【０００１】
本発明は、特に、撮影モードに応じて機能を制限するために用いて好適な撮像装置、撮像装置の制御方法およびプログラムに関する。
【背景技術】
【０００２】
近年、ある特定の撮影モードで動作している際に他の機能を制限することが可能な撮像装置が広く知られている。例えば特許文献１には、省電力撮影モードが選択されると撮像装置として最低限の機能を維持させつつ、外部機器との接続を含む電力を消費する複数の機能を停止または制限する撮像装置が開示されている。
【先行技術文献】
【特許文献】
【０００３】
【特許文献１】特開２００１−３２０６２６号公報
【発明の概要】
【発明が解決しようとする課題】
【０００４】
前述したように、特定の撮影モードの時に機能を制限すると、消費電力を抑制したり、ユーザにとって操作を簡単にしたりする効果がある。一方、近年では多くのメモリ容量を必要とする撮影モードで撮影する機能と、同様に多くのメモリ容量を必要とする外部機器への接続機能との両方を有する撮像装置が知られている。このような撮像装置では、片方の機能が動作している最中にもう片方の機能を動作させるために、メモリの排他制御が必要となる場合がある。
【０００５】
例えば、複数の画像を合成する撮影モードのように多くのメモリ容量を必要とする撮影機能と、印刷データを生成するために多くのメモリ容量が必要となるプリンタでの印刷機能との両方を持つ撮像装置が考えられる。このような撮像装置の場合、前述の２つの機能を同時に動作させるためにはより多くのメモリ容量を搭載する必要があるが、メモリ容量が限定されるシステムの場合は２つの機能間でメモリの共有が必要となる。
【０００６】
また、このようにメモリを共有するシステムを採用した撮像装置において、印刷データを生成するためにメモリを確保した後にシャッターチャンスが訪れる場合がある。このタイミングで複数の画像を合成する撮影モードで撮影する場合には、まず、印刷データを生成するために確保したメモリを解放する処理等を行う必要がある。そして、この解放処理を行った後に撮影のためのメモリ容量を確保する。このように、撮影のためにメモリ容量を確保するまでに多くの時間がかかり、ユーザが撮影したいタイミングで撮影することが難しい場合がある。
【０００７】
本発明は前述の問題点に鑑み、メモリ容量を多く使用する状況においてシャッターチャンスを逃すことを回避できるようにすることを目的としている。
【課題を解決するための手段】
【０００８】
本発明に係る撮像装置は、撮像手段と、前記撮像手段により生成された画像データを記憶する記憶手段と、前記撮像手段により１枚の画像を撮影する通常の撮影モードと、前記記憶手段において前記通常の撮影モードよりも多くの記憶領域を用いる撮影モードとを少なくとも含む複数の撮影モードを制御する制御手段と、前記記憶手段の記憶領域を用いてデータの通信を行う外部装置と接続する接続手段とを有し、前記制御手段により前記通常の撮影モードよりも多くの記憶領域を用いる撮影モードに制御されている場合に、前記接続手段は前記外部装置と接続しないようにすることを特徴とする。
【発明の効果】
【０００９】
本発明によれば、記憶領域が確保されていないことによってシャッターチャンスを逃してしまうことを回避することができる。
【図面の簡単な説明】
【００１０】
【図１】本発明の実施形態に係る通信システムの構成例を示す図である。
【図２】本発明の実施形態に係る撮像装置の内部構成例を示すブロック図である。
【図３】通常の撮影モードで通信機能を選択する際に表示されるＵＩの一例を示す図である。
【図４】ＨＤＲ逆光補正モードで通信機能を選択する際に表示されるＵＩの一例を示す図である。
【図５】本発明の実施形態において、撮影モードの変更操作を行ってから撮影操作を行った際の処理手順の一例を示すフローチャートである。
【図６】本発明の実施形態において、ユーザにより通信機能メニューから通信機能が選択された場合の処理手順の一例を示すフローチャートである。
【発明を実施するための形態】
【００１１】
以下、本発明の実施形態について、図面を参照しながら詳細に説明する。
図１は、本実施形態に係る通信システムの構成例を示す図である。
図１に示すように、本実施形態に係る撮像装置１００は、プリンタ２００とネットワーク３００を介して接続可能であり、さらにネットワーク５００を介して情報処理装置４００と接続可能である。情報処理装置４００はパーソナルコンピュータや携帯電話、スマートフォンやいわゆるタブレットデバイスなどである。
【００１２】
また、本実施形態に係る撮像装置１００は、ネットワーク３００を介してプリンタ２００と接続するか、ネットワーク５００を介して情報処理装置４００と接続するかを選択できる機能を備えている。本実施形態では、ネットワーク３００、５００として、無線ＬＡＮを用いる例について述べる。なお、ネットワーク３００、５００に用いることができるネットワークは無線ＬＡＮに限られない。例えば、ネットワーク３００には、赤外線通信を用いたネットワークや、ＢｌｕｅＴｏｏｔｈ（登録商標）を用いたネットワークを用いてもよい。あるいは、他の有線のネットワークを用いてもよい。
【００１３】
図２は、本実施形態に係る撮像装置１００の内部構成例を示すブロック図である。
図２において、制御部１０１は、入力された信号や、後述のプログラムに従って撮像装置１００の各部を制御する。なお、制御部１０１が撮像装置１００全体を制御する代わりに、複数のハードウェアが処理を分担して撮像装置１００全体を制御してもよい。本実施形態における撮像装置１００は、後述の撮影部１０２を制御部１０１が制御することにより画像データを取得することができる。
【００１４】
また、制御部１０１は、操作部１０５の操作によりメニュー画面を表示部１０６に表示させる表示制御機能を有する。メニュー画面は、後述の操作部１０５でメニューボタンが押された時に、制御部１０１により表示部１０６に表示される画面である。通常のメニュー画面には、撮影モードの選択、取得する画像データの大きさの選択、通信機能の選択、表示部１０６の明るさ設定、表示する言語の選択などのメニューがあり、ユーザが操作部１０５を操作することにより変更や実行を可能とする。
【００１５】
撮影部１０２は、撮像処理を行う。撮像処理とは、撮影部１０２に含まれるレンズで結像された被写体光を電気信号に変換してノイズ低減処理などを行い、デジタルデータを画像データとして出力する処理である。撮像により生成された画像データは作業用メモリ１０４であるバッファメモリに蓄えられた後、制御部１０１にて所定の演算を行い、記録媒体１１０に記録される。
【００１６】
不揮発性メモリ１０３は、電気的に消去および記録が可能な不揮発性のメモリであり、制御部１０１により実行される後述のプログラム等を格納している。作業用メモリ１０４は、撮影部１０２により生成された画像データを一時的に保持するバッファメモリや、表示部１０６の画像表示用メモリとして機能するメモリである。さらに作業用メモリ１０４は、通信部１０９を介してプリンタ２００や情報処理装置４００とやりとりする際のデータを一時的に保持するバッファメモリや、制御部１０１の作業領域として機能する。
【００１７】
操作部１０５は、ユーザが撮像装置１００の動作を指示するために用いられる。操作部１０５は、例えば、撮像装置１００の電源のＯＮ／ＯＦＦを指示するための電源ボタンや、撮像処理を行う指示を受け付けるためのレリーズスイッチを含む。さらに、前述のメニュー画面を表示するためのメニューボタンや、画面表示中の操作を受け付ける十字キー、タッチパネルなどの操作部材を含む。
【００１８】
表示部１０６は、撮像の際のスルー画像や、撮像指示により生成された画像、対話的な操作のための文字などを表示する。本実施形態において制御部１０１は、撮影部１０２から出力された画像データを、スルー画像として逐次更新しながら連続して表示部１０６に表示するよう制御する。これにより、表示部１０６には撮影部１０２により生成される画像データに係る画像がリアルタイムに逐次表示される。なお、表示部１０６は、撮像装置１００が備える構成である必要はなく、撮像装置１００は、表示装置などの表示部１０６と接続することができ、表示部１０６の表示を制御する表示制御機能を少なくとも有していればよい。
【００１９】
通信部１０９は、外部機器と通信するための接続部である。本実施形態の撮像装置１００は、通信部１０９を介して、プリンタ２００や情報処理装置４００とデータのやりとりを行うことができる。本実施形態では、通信部１０９は無線通信部であり、制御部１０１は、アンテナを介して、プリンタ２００や情報処理装置４００との無線通信を行うことができる。なお、この通信部１０９は、撮像装置１００が例えばインターネット等のネットワークに接続する際にも利用される。
【００２０】
記録媒体１１０には、制御部１０１の記録処理によって、撮影部１０２から出力された画像データが記録される。なお、記録媒体１１０は、撮像装置１００に着脱可能な媒体であってもよく、撮像装置１００に内蔵された媒体であってもよい。
【００２１】
次に、撮像装置１００の撮影モードについて説明する。本実施形態に係る撮像装置１００は、マニュアル撮影モードや全自動撮影モード等の複数の撮影モードで撮影することが可能である。その中で、複数の画像を撮影する撮影モードとしては、手持ち夜景モードや、ＨＤＲ逆光補正モード、マルチショットノイズ低減モード、多重露出モード、横長又は縦長の画像を生成するパノラマ合成モードなどが存在する。本実施形態では、複数の画像を撮影する撮影モードとしてＨＤＲ逆光補正モードで撮影する例について説明する。なお、通常の撮影モードでは１回の撮影操作で１枚の画像を生成して記録媒体１１０に記録するものとする。
【００２２】
ＨＤＲ逆光補正モードは、１回の撮影操作で明るさの異なる３枚の画像を連続撮影し、撮影した３枚の画像を合成して逆光による黒潰れを抑えた広い階調の１枚の画像を生成して記録媒体１１０に記録するモードである。このようにＨＤＲ逆光補正モードは、画像を合成するために多くの容量の作業領域を作業用メモリ１０４に確保する必要があるモードであり、複数の撮影画像のみならず、さらに合成画像を保持するために多くのメモリ容量を確保する必要がある。
【００２３】
次に、撮像装置１００が備える通信機能について説明する。本実施形態に係る撮像装置１００は、ネットワーク３００を介してプリンタ２００と接続するプリンタモードと、ネットワーク５００を介して情報処理装置４００と接続するスマートフォンモードとを備える。プリンタモードによりプリンタ２００と接続されている場合には、撮像装置１００はPictBridge規格に従って記録媒体１１０に記録された画像データから印刷データを生成し、印刷データを送信先であるプリンタ２００に送信する。プリンタ２００はPictBridge規格による印刷機能を備えており、ネットワーク３００を介して撮像装置１００から受信したデータを印刷することができる。一方、スマートフォンモードにより情報処理装置４００と接続されている場合には、情報処理装置４００は、記録媒体１１０に記録された画像データをＰＴＰプロトコルに従って取得することが可能である。
【００２４】
このようにプリンタモードでは、スマートフォンモードと異なり、印刷データを生成するために多くの容量の作業領域を作業用メモリ１０４に確保する必要がある。また、作業用メモリ１０４において、ＨＤＲ逆光補正モードで画像を合成するために確保する記憶領域、およびプリンタモードで印刷データを生成するために確保する記憶領域は重複した共通の領域である。なお、本実施形態では、通常の通信モードよりもメモリを多く使用する例としてプリンタモードを挙げたが、通常の通信モードよりもメモリ容量を多く使用するモードであればプリンタモードでなくてもよい。
【００２５】
次に、撮像装置１００が備える通信機能の選択画面を表示部１０６に表示する例について説明する。図３は、マニュアル撮影モードや全自動撮影モード等の通常の撮影モードでユーザが撮像装置１００の操作部１０５を操作した時に表示部１０６に表示されるＵＩ（User Interface）の一例を示す図である。
図３に示す画面３０１は、操作部１０５のメニューボタンが押された時に、制御部１０１が表示部１０６に表示する画面である。画面３０１が表示されている状態でユーザの操作により通信機能が選択されると、通信機能メニュー画面３０２に遷移する。通信機能メニュー画面３０２では、ユーザが操作部１０５を操作することによって、通信モードをスマートフォンモードかプリンタモードかに選択する。
【００２６】
ユーザによりスマートフォンモードかプリンタモードかが選択されると、ユーザの選択した接続先に応じて制御部１０１は通信部１０９を制御してスマートフォンもしくはプリンタへの接続動作を行う。このとき、表示部１０６に、接続先に応じてスマートフォン接続中画面３０３もしくはプリンタ接続中画面３０４を表示するように制御を行う。
【００２７】
図４は、撮影モードとしてＨＤＲ逆光補正モードが選択されている場合に、ユーザが撮像装置１００の操作部１０５を操作した時に表示部１０６に表示されるＵＩの一例を示す図である。
図４に示す画面４０１は、図３に示した画面３０１と同様に操作部１０５のメニューボタンが押された時に、制御部１０１が表示部１０６に表示する画面である。画面４０１が表示されている状態でユーザの操作により通信機能が選択されると、通信機能メニュー画面４０２に遷移する。通信機能メニュー画面４０２では、図３に示した通信機能メニュー画面３０２と同様にユーザが操作部１０５を操作することによって、通信モードをスマートフォンモードかプリンタモードかに選択する。
【００２８】
通信機能メニュー画面４０２が表示されている間に、ユーザによりスマートフォンモードが選択された場合には、制御部１０１は通信部１０９を制御して情報処理装置４００への接続動作を行う。そして、表示部１０６に、スマートフォン接続中画面４０３を表示するように制御する。一方、通信機能メニュー画面４０２が表示されている間に、ユーザによりプリンタモードが選択された場合には、制御部１０１は表示部１０６にプリンタ接続不可画面４０４を表示し、プリンタ２００との接続は行わないようにする。
【００２９】
図４に示すように、ＨＤＲ逆光補正モードで撮影される画像および合成する画像を保存するために必要なメモリ領域と、印刷を指示する時に印刷データを保存するために必要なメモリ領域とが共通するため、排他制御を行っている。これにより、ＨＤＲ逆光補正モードでシャッターチャンスが訪れた際に、印刷データを保存するために確保されたメモリ領域を解放する処理を不要し、ユーザがシャッターチャンスを逃してしまう状況を回避することが可能となる。
【００３０】
次に、撮像装置１００による制御方法について、図５および図６を参照しながら説明する。図５は、撮影モードの変更操作を行ってから撮影操作を行った際の処理手順の一例を示すフローチャートである。なお、図５に示す各処理は、制御部１０１の制御により行われる。
まず、ステップＳ５０１において、操作部１０５から撮影モードを変更する指示を受けるまで待機する。そして、撮影モードの変更が指示されると、ステップＳ５０２に進む。
【００３１】
ステップＳ５０２においては、変更後の撮影モードが、ＨＤＲ逆光補正モードなど、複数の画像を撮影して合成する撮影モードであるか否かを判定する。この判定で該当する撮影モードは前述したような撮影モードである。この判定の結果、複数の画像を撮影して合成する撮影モードである場合はステップＳ５０３に進み、それ以外の通常の撮影モードである場合はステップＳ５０４に進む。
【００３２】
ステップＳ５０３においては、画像を合成するために必要な作業用メモリ領域を作業用メモリ１０４に確保し、ステップＳ５０４に進む。ここで確保する作業用メモリ領域は、後述する印刷データ生成用のメモリ領域と共通の領域である。なお、確保する対象のメモリ領域が撮像装置１００の他の機能の処理によって使用中であった場合は、その処理を中断してメモリ領域を解放してからメモリ領域の確保処理を行う。また、通常の撮影モードでも連写を行う時には多くのメモリ領域が必要となるが、ここで確保するメモリ領域は連写用のメモリ領域とは別に確保する。そして、次のステップＳ５０４においては、指示された撮影モードに変更する。
【００３３】
次に、ステップＳ５０５において、操作部１０５から撮影指示を受けるまで待機する。そして、操作部１０５から撮影指示を受けるとステップＳ５０６に進む。次のステップＳ５０６においては、現在の撮影モードが、ＨＤＲ逆光補正モードなど、複数の画像を撮影して合成する撮影モードであるか否かを判定する。この判定の結果、複数の画像を撮影して合成する撮影モードである場合はステップＳ５０８に進み、それ以外の通常の撮影モードである場合はステップＳ５０７に進む。ステップＳ５０７においては、撮影部１０２により撮像処理を１回行い、ステップＳ５１０に進む。なお、通常の連写を行う場合にはその分の撮像処理を行うものとする。
【００３４】
一方、ステップＳ５０８においては、撮影部１０２により撮影モードに応じた回数だけ撮像処理を行い、ステップＳ５０９に進む。なお、ＨＤＲ逆光補正モードの場合は撮像処理を３回行う。そして、ステップＳ５０９において、ステップＳ５０３で確保した作業用のメモリ領域を用いて、撮像処理で得られた複数の画像の合成処理を行って１枚の画像を生成し、ステップＳ５１０に進む。
【００３５】
次に、ステップＳ５１０において、制御部１０１は撮像処理または合成処理で得られた画像を表示部１０６に表示し、ステップＳ５１１に進む。そして、ステップＳ５１１において、生成した画像を画像データとして記録媒体１１０に書き込む。
【００３６】
図６は、ユーザにより通信機能メニューから通信機能が選択された場合の処理手順の一例を示すフローチャートである。なお、図６に示す各処理は、制御部１０１の制御により行われる。
まず、ステップＳ６０１において、表示部１０６に図３または図４に示した通信機能メニュー画面を表示する。この通信機能メニュー画面では、スマートフォンモードもしくはプリンタモードのどちらか一方にフォーカスが当たっている状態となっており、操作部１０５の操作によりフォーカス位置をどちらか一方に切り替えることが可能である。
【００３７】
続いてステップＳ６０２において、スマートフォンモードとプリンタモードとの間でフォーカスを移動させる操作があったか否かを判定する。この判定の結果、フォーカスを移動させる操作があった場合はステップＳ６０３に進み、そのような操作がなかった場合はステップＳ６０４に進む。ステップＳ６０３においては、スマートフォンモードとプリンタモードとの間でフォーカス移動を行い、表示部１０６に表示されている画面を更新してステップＳ６０１に戻る。
【００３８】
一方、ステップＳ６０４においては、画面上でフォーカスされている通信モードを選択した操作があったか否かを判定する。この判定の結果、通信モードを選択した操作があった場合はステップＳ６０５に進み、そうでない場合はステップＳ６０１に戻る。続いてステップＳ６０５において、選択されたモードがスマートフォンモードかプリンタモードかを判定する。この判定の結果、プリンタモードが選択された場合はステップＳ６０６に進み、スマートフォンモードが選択された場合はステップＳ６１８に進む。
【００３９】
ステップＳ６０６においては、現在の撮影モードがＨＤＲ逆光補正モードなど、複数の画像を撮影して合成する撮影モードであるか否かを判定する。この判定の結果、それ以外の通常の撮影モードである場合はステップＳ６０７に進み、複数の画像を撮影して合成する撮影モードである場合はステップＳ６１６に進む。
【００４０】
ステップＳ６０７においては、通信部１０９を制御してプリンタ２００との接続を行う。このとき、表示部１０６には、図３に示したようなプリンタ接続中画面３０４を表示する。そして、ステップＳ６０８において、印刷を指示するための画像選択画面を表示部１０６に表示する。
【００４１】
続いてステップＳ６０９において、印刷対象となる画像を選択する画面が表示されている間に、操作部１０５から画像が選択されて印刷を指示する操作があったか否かを判定する。この判定の結果、印刷を指示する操作があった場合はステップ６１０に進み、そのような操作がなかった場合はステップＳ６１５に進む。
【００４２】
ステップＳ６１０においては、印刷データを合成する作業を行うためのメモリ領域を作業用メモリ１０４に確保し、ステップＳ６１１に進む。ここで確保する作業用のメモリ領域は、前述のステップＳ５０３で確保する画像合成用のメモリ領域と共通の領域である。続いてステップＳ６１１において、接続中のプリンタ２００に送信する印刷データをステップＳ６１０で確保したメモリ領域上で生成し、ステップＳ６１２に進む。
【００４３】
次に、ステップＳ６１２において、通信部１０９を介して接続中のプリンタ２００に、ステップＳ６１１で生成した印刷データとともに印刷開始指示を送信する。そして、ステップＳ６１３において、プリンタ２００から印刷終了通知を受信するまで待機する。なお、待機中は、表示部１０６には印刷中であることを表す画面を表示する。プリンタ２００から印刷終了通知を受信すると、ステップＳ６１４において、ステップＳ６１０で確保した作業用のメモリ領域を解放し、ステップＳ６０８に戻る。
【００４４】
一方、ステップＳ６１５においては、接続を終了するための操作があったか否かを判定する。この判定の結果、接続を終了するための操作があった場合はステップＳ６２１に進み、そのような操作がなかった場合はステップＳ６０８に戻る。
【００４５】
一方、ステップＳ６１６においては、図４に示したようなプリンタ接続不可画面４０４を表示部１０６に表示する。そして、ステップＳ６１７において、操作部１０５から終了操作があるまで待機する。そして、操作部１０５から終了操作であった場合はステップＳ６０１に戻る。
【００４６】
一方、ステップＳ６１８においては、通信部１０９を制御して情報処理装置４００との接続を行う。このとき、表示部１０６には、図３または図４に示すようなスマートフォン接続中画面を表示する。そして、ステップＳ６１９において、表示部１０６にスマートフォンとの接続完了後の画面を表示する。この間、情報処理装置４００は、記録媒体１１０に記録された画像データを取得するなどデータのやり取りを撮像装置１００と行うことが可能となる。
【００４７】
次に、ステップＳ６２０において、制御部１０１は操作部１０５から接続終了操作を受けるまで待機する。そして、接続終了操作を受けると、ステップＳ６２１において、通信部１０９を介して通信中の機器との切断処理を行う。そして、切断後にステップＳ６０１に戻る。
【００４８】
以上のように本実施形態では、ＨＤＲ逆光補正モードのように多くのメモリ領域を使用する撮影モードと、プリンタモードのように多くのメモリ領域を使用する通信モードとの双方が共通のメモリ領域を確保する構成を想定している。この場合に、メモリ領域を多く使用する通信モードが選択されている際には、プリンタなど通信するためにメモリ領域を多く使用する外部機器との接続を行わないように制御するようにした。これにより、ＨＤＲ逆光補正モードのような撮影モードでシャッターチャンスを逃す状況を回避することができる。
【００４９】
（その他の実施形態）
以上、本発明の好ましい実施形態について説明したが、本発明はこれらの実施形態に限定されず、その要旨の範囲内で種々の変形及び変更が可能である。尚、以下に説明する実施の形態は、本発明の実現手段としての一例であり、本発明が適用される装置の構成や各種条件によって適宜修正又は変更されてもよい。また、各実施の形態は適宜組み合わされることも可能である。
【００５０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５１】
１０１  制御部
１０２  撮影部
１０４  作業用メモリ
１０９  通信部
【図１】
2015019332.tif 000003
【図２】
2015019332.tif 000004
【図３】
2015019332.tif 000005
【図４】
2015019332.tif 000006
【図５】
2015019332.tif 000007
【図６】
2015019332.tif 000008